(57)【要約】      （修正有）【課題】従来の装身具は衣服等に取り付けた際、衣服と装身具との間隔が大きいために装身具が垂れ下がりを防止できる装飾体の止金具を提供する。【解決手段】装飾体ＤＭに対し第一および第二の支柱１，２を取付けた支持軸３を第一および第二の軸受け部４，５をもって回動自在に保持配設し、第二の支柱２のピン枢着部２１に装飾体ＤＭの取付け手段ＡＭを構成する取付けピン６の一端を枢着し、第一の支柱１に取付けピン６の尖先部６１を保持するピン先保持部１１を設け、取付けピン６とその尖先部を保持するピン先保持部１１とで構成する取付け手段ＡＭが支持軸３を中心に所定の範囲内を回動して取付け手段ＡＭと装飾体ＤＭの裏面との相対間隔を可変し得るように構成した。【選択図】  図１
2006102305.tif 000002
【特許請求の範囲】
【請求項１】
装飾体ＤＭに対し第一および第二の支柱１,２を取付けた支持軸３を第一および第二の軸受け部４,５をもって回動自在に保持配設し、前記第二の支柱２のピン枢着部２１に前記装飾体ＤＭの取付け手段ＡＭを構成する取付けピン６の一端を枢着し、前記第一の支柱１に前記取付けピン６の尖先部６１を保持するピン先保持部１１を設け、前記取付けピン６とその尖先部６１を保持するピン先保持部１１とで構成する前記取け付手段ＡＭが前記支持軸３を中心に所定の範囲内を回動して前記取付け手段ＡＭと前記装飾体ＤＭの裏面との相対間隔を可変し得るように構成したことを特徴とする装飾体の止金具。
【請求項２】
請求項１記載の取付け手段ＡＭを支持する第二の支柱２が個々に当接することにより前記取付け手段ＦＭを第一の制止位置ＳＰ１から第二の制止位置ＳＰ２までその回動範囲を規制する切り欠き部５１を前記第二の軸受け部２の開口端に形成し前記取付けピン６と前記装飾体ＤＭとの相対間隔を変えうるようにしたことを特徴とする装飾体の止金具。
【請求項３】
請求項１記載の取付け手段ＡＭを支持する第一の支柱1を前記第一の制止位置ＳＰ1でその位置を保持する第一の切り欠き部４１と、前記第二の静止位置ＳＰ２でその位置を保持する第二の切り欠き部４２を第一の軸受け部４の開口端側に設け，前記第一の支柱１が前記第一または第二の切り欠き部４１,４２内に保留する圧力を前記支持軸３に付与するスプリング７を前記第二の軸受け部５内に配設して前記取付けピン６と前記装飾体ＤＭとの相対間隔を変え得るようにしたことを特徴とする装飾体の止金具。
【請求項４】
請求項１記載の取付け手段ＡＭを支持する第一の支柱１が前記第一の制止位置ＳＰ１から第二の制止位置ＳＰ２まで回動する間前記第一の軸受け部１の開口端側に形成した逆フ字状の切欠き部４３の傾斜面４４に当接して前記支持軸３を前記第二の軸受け部５内に配設したスプリング７の弾性に抗して前記第二の軸受け部５側に移動させ前記スプリング７を付勢することで前記傾斜面４４の裾端である第二の制止位置ＳＰ２に形成した凹欠部４５内に弾接させて前記取付けピ６と前記装飾体ＤＭとの相対間隔を変え得るようにしたことを特徴とする装飾体の止金具。
【請求項５】
装飾体ＤＭに所定の間隔を設けて双方の開口端部が対峙するように配設した第一および第二の軸受け部４,５と、前記第一および第二の軸受け部４,５内に両端を個々に挿入した支持軸３と、この支持軸３に所定の間隔を存して取り付けた第一および第二の支柱１,２と、前記第一の支柱１の端部に設けたピン先保持部１１と、第二の支柱２の端部に設けたピン枢着部２１と、前記ピン枢着部２１に軸着した取り付ピン６と、前記第二の軸受け部５内に嵌設して前記支持軸３を第一の軸受け部４方向に圧送するスプリング７とを有し、前記支持軸３の回転で前記取付けピン６を第一の制止位置ＳＰ１から第二の制止位置ＳＰ２にまたはその逆に変移し得るように構成したことを特徴とする装飾体の止金具。
【発明の詳細な説明】
【技術分野】
【０００１】
ブローチやペンダントのような装飾体の止金具に係り、更に詳しく述
べれば、装飾体を薄い衣服やスカーフ等の装身具に取り付ける止金具を構成するピンと装飾体との相対位置が可変し、衣服等へ取付け易くかつ衣服等に取り付けた際装飾体が垂れ下がって前倒れ状態にならない装飾体の止金具に関するものである。
【背景技術】
【０００２】
ブローチやペンダント等の装飾体を衣服やスカーフ等に直接取り付ける手段として、衣服等に刺し通して止めるピン形式のものと、衣服等を挟んで止めるクリップ形式のものが一般的である。
【０００３】
特許文献１には、ブローチを衣服に取り付ける際、縦，横，斜め等のどのような方向に取り付けてもブローチ本体が垂れ下がって下向き状態にならないようにするために、ブローチ本体と、ブローチ本体に首振り自在に取り付けたピンと、ピンの取付け位置と所定の間隔でブローチを取り付けたピンを着脱可能な抜け止め機構とを備え、ピンと抜け止め機構のそれぞれの取付け位置間に、ブローチ本体上にピンの長さ方向に平行にかつピンを挟むように一対の服装押さえ部を取付け、この押さえ部がピンの長さ方向に沿った一端をブローチ本体上に固定し、他端を連結して上記固定部で浮き支持するように構成したブローチ止金具が開示されている。
【０００４】
特許文献２には、ネックレスに嵌める形式のペンダントを衣類に止着できる止め金具に着脱自在に掛け止めし、ペンダントをブローチとしても使用することが可能なものにするために、 ペンダントの掛け止めフックが設けられている筒状の止め金具主体の一端に蓋筒を回動可能に嵌合し、前記止め金具主体内に一端を係止したスプリングの他端を、前記蓋筒に取り付けた止めピンに係止させ、前記止め金具主体にはこれと略平行に挿通ピンを設け、蓋筒には該挿通ピンの先端を挿入する差し込み片を設けたブローチが開示されている。
【０００５】
特許文献３には、 眼鏡をチェーンの端に繋ぎ、そのチェーンを衣服、所持品の一部に簡単に取り付けられるようにして、眼鏡をポケットやバッグに入れて持ち運び、必要によりすぐ取り出して着用できるようにする使い分けを容易とし、かつ眼鏡を破損、紛失しないようにするために、 挟み留めクリップと、この挟み留めクリップにチェーンを挿通する穴を備え、該穴には少なくとも一方の端部を眼鏡枠に繋げたチェーンを挿通することを特徴とし、特に、前記クリップと装飾用ブローチとが一体となっているクリップが開示されている。
【特許文献１】実用新案出願公告平５−２５４４６号公報
【特許文献２】実用新案登録第３０１９６１１号明細書
【特許文献３】実用新案登録第３０７９４３０号明細書
【発明の開示】
【発明が解決しようとする課題】
【０００６】
特許文献１で開示されたブローチ止金具は、ピンの取付け位置と所定の間隔でブローチを取り付けたピンを着脱可能な抜け止め機構とを備え、ピンと抜け止め機構のそれぞれの取付け位置間に、ブローチ本体上にピンの長さ方向に平行にかつピンを挟むように一対の服装押さえ部を取付け、この押さえ部がピンの長さ方向に沿った一端をブローチ本体上に固定し、他端を連結して上記固定部で浮き支持するように構成したものであるがヘアーピン状の服装押さえ部はその有離端側をブローチ本体上に固定した片持ち構成なのでこの服装押さえ部とピンとの間に多くの衣服を挟んでしまえば服装押さえ部が変形して機能しなくなってしまうと言う問題がある。
【０００７】
特許文献２で開示されたペンダントやブローチの止金具は、筒状の止め金具主体の一端に蓋筒を回動可能に嵌合し、前記止め金具主体内に一端を係止したスプリングの他端を、前記蓋筒に取付けた止めピンに係止させ、前記止め金具主体にはこれと略平行に挿通ピンを設け、蓋筒には該挿通ピンの先端を挿入する差し込み片を設け、前記蓋筒をスプリングを緊張する方向に動かすことで止めピンの先端部が差し込み片から抜け出る構成であるが、筒状の止め金具主体と止めピンとの相対間隔は変わらないので前記止め金具主体の重さで垂れ下がって下向き状態になってしまうと言う問題がある。
【０００８】
特許文献３で開示された装飾用ブローチのクリップは、挟み留めクリップと、この挟み留めクリップにチェーンを挿通する穴を備え、該穴には少なくとも一方の端部を眼鏡枠に繋げたチェーンを挿通することを特徴とし、特に、前記クリップと装飾用ブローチとが一体となっているので、装飾用ブローチが重く前記クリップの衣服等への挟み状態では垂れ下がって下向き状態になってしまうと言う問題がある。
【課題を解決するための手段】
【０００９】
この発明は、前記した各課題を解決し、装飾体を衣服やスカーフ等の装身具に取り付ける止金具を構成するピンと装飾体との相対位置が可変し、衣服等へ取付け易くかつ衣服等に取り付けた際装飾体が垂れ下がって前倒れ状態にならない装飾体の止金具を提供することを目的とするものである。
【００１０】
このような問題点は、装飾体ＤＭに対し第一および第二の支柱１，２を取付けた支持軸３を第一および第二の軸受け部４，５をもって回動自在に保持配設して前記第二の支柱２のピン枢着部２１に前記装飾体ＤＭの取付け手段ＡＭを構成する取付けピン６の一端を枢着し、前記第一の支柱１に前記取付けピ６の尖先部６１を保持するピン先保持部１１を設け、前記取付けピン６とその尖先部６１を保持するピン先保持部６１とで構成する前記取付け手段ＡＭが前記支持軸３を中心に所定の範囲内を回動するように構成することで前記取付け手段ＦＭと前記装飾体ＤＭの裏面との相対間隔を可変し得るようにすることで解決できる。
【００１１】
前記目的は請求項２記載のように、前記した取付け手段ＡＭを支持する第二の支柱２が個々に当接することにより前記取付け手段ＡＭを第一の制止位置ＳＰ１から第二の制止位置ＳＰ２までその回動範囲を規制する切り欠き部５１を前記第二の軸受け部５の開口端に形成することで解決できる。
【００１２】
また、請求項３記載のように、前記した取付け手段AＭを支持する第一の支柱１を前記第一の制止位置ＳＰ１でその位置を保持する第一の切り欠き部４１と、前記第二の制止位置ＳＰ２でその位置を保持する第二の切り欠き部４２を第一の軸受け部４の開口端側に設け，前記第一の支柱１が前記第一または第二の切り欠き部４１，４２内に保留する圧力を付与するスプリング７を前記第二の軸受け部５内に配設して前記取付けピン６と前記装飾体ＤＭとの相対間隔を変え得るようにしたので、装飾体DMの取付け取外しが容易で取付けた際装飾体DMをより衣服に近づけられるので装飾体DMの垂れ下がりを防止できる。
【００１３】
さらに、取付け手段AＭを支持する第一の支柱１が前記第一の制止位置ＳＰ１から第二の制止位置ＳＰ２まで回動する間前記第一の軸受け部４の開口端側に形成した逆フ字状の切欠き部４３の傾斜面４４に当接して前記支持軸３を前記第二の軸受け部５内に配設したスプリング７の弾性に抗して前記第二の軸受け部側５に移動させ前記スプリング７を付勢することで前記傾斜面４４の裾端である第二の制止位置ＳＰ２に形成した凹欠部４５内に弾接して前記取付けピン６と前記装飾体ＤＭとの相対間隔を変え得るようにすることで解決できる。
【発明の効果】
【００１４】
請求項１および５記載の発明は、装飾体ＤＭに対し第一および第二の支柱１，２を取付けた支持軸３を第一および第二の軸受け部４，５をもって回動自在に保持配設して前記第二の支柱２のピン枢着部２１に前記装飾体ＤＭの取付け手段ＡＭを構成する取付けピン６の一端を枢着して前記第一の支柱１に前記取付けピン６の尖先部６１を保持するピン先保持部１１を設けて前記取付けピン６とその尖先部６１を保持するピン先保持部１１とで構成する前記取付け手段ＦＭが前記支持軸３を中心に所定の範囲内を回動して前記取付け手段ＡＭと前記装飾体ＤＭの裏面との相対間隔を可変し得るように構成したので、装飾体の取付け取外しが容易で、取付けた際装飾体をより衣服に近づけられるので装飾体の垂れ下がりを防止できる。
【００１５】
請求項２記載の発明は、請求項１記載の取付け手段ＡＭを支持する第二の支柱２が個々に当接することにより前記取付け手段ＦＭを第一の制止位置ＳＰ１から第二の制止位置ＳＰ２までその回動範囲を規制する切り欠き部５１を前記第二の軸受け部５の開口端に形成し、前記取り付ピン６と前記装飾体ＤＭとの相対間隔を変えうるようにしたので、支持軸３の回動範囲を規制して装飾体ＤＭの取付け取外しが容易で、取付けた際装飾体DMをより衣服に近づけられるので装飾体ＤＭの垂れ下がりを防止できる。
【００１６】
請求項３記載の発明は、請求項１記載の取付け手段ＡＭを支持する第一の支柱１を前記第一の制止位置ＳＰ１でその位置を保持する第一の切り欠き部４１と、前記第二の制止位置ＳＰ２でその位置を保持する第二の切り欠き部４２を第一の軸受け部４の開口端側に設け，前記第一の支柱１が前記第一または第二の切り欠き部４１，４２内に保留する圧力を付与するスプリング７を前記第二の軸受け部５内に配設し、前記取付けピン６と前記装飾体ＤＭとの相対間隔を変え得るようにしたので、第一および第二の制止位置を保持でき装飾体ＤＭの取付け取外しが容易であって、取付けた際装飾体ＤＭをより衣服に近づけられるので装飾体ＤＭの垂れ下がりを防止できる。
【００１７】
請求項４記載の発明は、請求項１記載の取付け手段ＡＭを支持する第一の支柱１が前記第一の制止位置ＳＰ１から第二の制止位置ＳＰ２まで回動する間前記第一の軸受け部４の開口端側に形成した逆フ字状の切欠き部４３の傾斜面４４に当接して前記支持軸３を前記第二の軸受け部５内に配設したスプリング７の弾性に抗して前記第二の軸受け部５側に移動させ前記スプリング７を付勢することで前記傾斜面４４の裾端である第二の制止位置ＳＰ２に形成した凹欠部４５内に弾接して前記取付けピン６と前記装飾体ＤＭとの相対間隔を変え得るようにしたので支持軸の回動行為で前記支持軸が左右動して装飾体ＤＭの取付け取外しが容易で取付けた際装飾体ＤＭをより衣服に近づけられるので装飾体ＤＭの垂れ下がりを防止できる。
【発明を実施するための最良の形態】
【００１８】
この発明を実施するための最良の形態としては、装飾体ＤＭに対し第一および第二の支柱１，２を取付けた支持軸３を第一および第二の軸受け部４，５をもって回動自在に保持配設して前記第二の支柱２のピン枢着部２１に前記装飾体ＤＭの取付け手段ＡＭを構成する取付けピン６の一端を枢着し前記第一の支柱１に前記取付けピン６の尖先部６１を保持するピン先保持部１１を設けて前記取付けピン６とその尖先部６１を保持するピン先保持部１１とで構成する前記取付け手段ＡＭが前記支持軸３を中心に所定の範囲内を回動して前記取付け手段ＡＭと前記装飾体ＤＭの裏面との相対間隔を可変し得るように構成することである。
【００１９】
さらに、前記した取付け手段ＡＭを支持する第二の支柱２が個々に当接することにより前記取付け手段ＡＭを第一の制止位置ＳＰ１から第二の制止位置ＳＰ２までその回動範囲を規制する切り欠き部５１を前記第二の軸受け部５の開口端に形成するとよい。
【００２０】
また、前記した取付け手段ＡＭを支持する第一の支柱１を前記第一の制止位置ＳＰ１でその位置を保持する第一の切り欠き部４１と、前記第二の静止位置ＳＰ２でその位置を保持する第二の切り欠き部４２を第一の軸受け部４の開口端側に設け，前記第一の支柱１が前記第一の支柱１が前記第一または第二の切り欠き部４１，４２内に保留する圧力を付与するスプリング７を前記第二の軸受け部５内に配設するとよい。
【００２１】
加えて、取付け手段ＡＭを支持する第一の支柱１が前記第一の制止位置ＳＰ１から第二の制止位置ＳＰ２まで回動する間前記第一の軸受け部４の開口端側に形成した逆フ字状の切欠き部４３の傾斜面４４に当接して前記支持軸３を前記第二の軸受け部５内に配設したスプリング７の弾性に抗して前記第二の軸受け部５側に移動させ前記スプリング７を付勢することで前記傾斜面４４の裾端である第二の制止位置ＳＰ２に形成した凹欠部４５内に弾接するように構成するとよい。
【実施例１】
【００２２】
この発明の実施例を、図を用いて詳細に説明する。図1〜４に示すように、装飾体ＤＭに対し第一および第二の支柱１，２を取付けた支持軸３を第一および第二の軸受け部４，５をもって回動自在に保持配設して前記第二の支柱２のピン枢着部２１に前記装飾体ＤＭの取付け手段ＦＭを構成する取付けピン６の一端を枢着し前記第一の支柱１に前記取付けピン６の尖先部６１を保持するピン先保持部１１を設け前記取付けピン６とその尖先部６１を保持するピン先保持部１１とで構成する前記取付け手段ＦＭが前記支持軸３を中心にして所定の範囲内を回動して前記取付け手段ＦＭと前記装飾体ＤＭの裏面との相対間隔を可変し得るように構成する。
【００２３】
第一の軸受け部４は図５,６ならびに図９に示すように、後述する支持軸３の直径よりもその内径が干若大径の筒状または有底筒体で、錆が生じ難く装飾体またはその台盤と同じ金属体かまたはこの金属で鍍金を施すか異質の金属でも類似色の金属をもって加工する。
開口端には図９に示すように、後述する取付け手段ＡＭを支持する第一の支柱１を後述する第一の制止位置ＳＰ１で一方向への回動を制止する第一の切り欠き部４１と、第二の制止位置ＳＰ２で他方行への回動を制止する第二の切り欠き部４２を筒体の周囲方向に略９０°変位させて設ける。この各切り欠き部４１，４２の開口幅は前記支柱1の直径よりも若干幅広で、奥行きは第一の支持軸１が第二の軸受け部５側へ移動可能な長さよりも短く、少なくとも前記支柱1の直径の１／２強の深さに構成する。
【００２４】
第二の軸受け部５は図５,６ならびに図９に示すように、第一の軸受け部４と同様に後述する支持軸３の直径よりもその内径が干若大径で、内部に挿入するスプリング７が内部に留まるよう有底の筒体で、錆が生じ難く装飾体またはその台盤と同じ金属体かまたはこの金属で鍍金を施すか異質の金属でも類似色の金属を持って加工する。
開口端には図９に示すように、後述する取付け手段ＡＭを支持する第二の支柱２が個々に当接することにより前記取付け手段を第一の制止位置ＳＰ１から第二の制止位置ＳＰ２までその回動範囲を規制する切り欠き部５１を設ける。前記第一の制止位置ＳＰ１を定める切り欠き側面５２と第二の制止位置ＳＰ２を定める切り欠き側面５３とは略９０°と第二の支柱２の直径の寸法を角度に換算した角度だけ位置が変位している。また。前記切り欠き部５１の深さは第二の支柱２の直径の２倍強、すなわち、第一の支柱１が第一または第二の切り欠き部４１，４２内から外方に抜脱しうるに十分な寸法第二の支柱２が後退しうる寸法は必要である。
【００２５】
支持軸３は、図６に示すように、装飾体ＤＭの取付け時に加わる外力に抗し得る強さ、すなわち容易に曲がったりしない直径の金属棒で、一端にスプリング７内に突入し得る小径部３１を形成した構成である。
【００２６】
第一の支柱１は図１〜４、図９ならびに図１１に示すようにその一端は前記支持軸３上に跨接し得るように半円弧状に面刳り１２し他端には後述するピン先保持部１１を構成する二股部１３を形成しこの二股部１３の一方の脚体１４ａでその外側には中央部付近までやや傾斜した取付けピン６の直径よりも若干幅広の縦溝１５を形成した半球状の保持溝形成部１６ａを前記二股部１３の他方の脚体１４ｂでその外側には同様に中央部付近までやや傾斜した取付けピン６の直径よりも若干幅広の縦溝１５ｂを形成した半球面体の頂上部に取付けピンの尖先部６１部分を保持する突起状物を有する保持溝形成部１６ｂをそれぞれ形成し、前記二股部１３の両脚体１４ａ，１４ｂの内側面には後述するピン先保持部１１を構成するピン係止体８を回動自在に取付ける軸穴１７ａ，１７ｂを形成する。
【００２７】
第二の支柱２は図１〜４ならびに図１５に示すように、その一端は前記支持軸３上に跨接し得るように半円弧状に面刳り２２し、他端には後述するピン枢着部２１を構成する二股部２３を形成し、両脚体２４ａ，２４ｂにはピン２６を枢着する軸孔２５ａ，２５ｂを開けてある。
【００２８】
ピン先保持部１１は一般に周知の構成であって、図１１〜１４に示すように、前記構成の第一の支柱１でその保持溝形成部１６ａ，１６ｂをなす二股部１３を形成する割り溝１８内に嵌り半球体の直径に等しい円盤８１の中央に貫通孔８２を開け、この貫通孔８２に達する後述するピン径よりも若干幅広の縦溝８３と、この縦溝８３の延長方向で前記円盤８１の外側に頭部が略Ｙ字状をなすレバー８４を有し、前記円盤８１の両面に貫通孔８２と同心状で、前記縦溝８３と同様の縦溝を形成した円盤状の凸軸８５ａ，８５ｂを設けたピン係止体８とで構成する。このピン係止体８は、一対の前記保持溝形成部１６ａ，１６ｂ間の縦溝１８内に前記凹軸８５ａ，８５ｂが軸穴１７ａ，１７ｂに嵌合するように股間に押し込んで完成する。
【００２９】
取付けピン６は図１５に示すように、鋼鉄あるいはステンレス鋼の棒状体の一端を衣服に刺し通せるように尖らせて尖先部６１を、他端に前記第二の支柱２でその二股部２３の股幅より若干薄く扁平に押し潰し中央部に枢着用の貫通孔６３を開けた枢着部６２を形成したものである。
この取付けピン６はその枢着部６２を前記二股部２３の股間に嵌入して軸孔２５ａから貫通孔６３を通して軸孔２５ｂに軸２６を挿通して前記軸の両端をかしめることで取付けピンをピン枢着部２１に取付け完成する。
【実施例２】
【００３０】
第一の軸受け部４における他の実施例としては図１０に示すように、前述した支持軸１の直径よりも干若大径の筒状または有底筒体で、錆が生じ難く装飾体またはその台盤と同じ金属体かまたはこの金属で鍍金を施すか異質の金属でも類似色の金属を持って加工する。
取付け手段ＦＭを支持する第一の支柱１が前記第一の制止位置ＳＰ１から第二の制止位置ＳＰ２まで回動する間、前記第一の軸受け部４の開口端側に形成した逆フ字状の切欠き部４３の傾斜面４４に当接して前記支持軸３を前記第二の軸受け部５内に配設したスプリング７の弾性に抗して前記第二の軸受け部５側に移動させ前記スプリング７を付勢することで前記傾斜面４４の裾端である第二の制止位置ＳＰ２に形成した凹欠部４５内に弾接して前記取り付ピン６と前記装飾体ＤＭとの相対間隔を変え得るように構成する。
【００３１】
この発明の装飾体ＤＭにおける取付け手段ＡＭは以上の構成体をもって形成されており図１〜６、図９に示すように、先ず予め所定の長さに加工した支持軸３の一端側でその所定位置上に第一の支柱１の半円弧状に面刳り１２した側を、取付け向きを確かめて垂直に載せ、両者をロウ付け固定する。次に支持軸３の他端側でその所定の位置上に第二の支柱２の半円弧状に面刳り２２した側を、取り付け向きを確かめて前記第一の支軸１と平行でかつ垂直に載せてロウ付け固定する。
【００３２】
次に、図１〜６、図９に示すように例えばペンダントのような装飾体ＤＭの台板Ｐに第一の軸受け部４をその所定に位置に開口部が内側に向くようロウ付け固定する。第二の軸受け部５内には予め内部にスプリング７を挿入して第一および第二の支軸１，２を取り付けた支持軸３の小径部３１側を前記スプリング７内部に挿入し、大径部３２側を先に台板Ｐ上に固定した第一の軸受け部４内に突入させて所定の位置に開口部が対峙しかつ中心軸が一致するように前記台板Ｐ上にロウ付けして固定する。
【００３３】
前記第一および第二の軸受け部４，５の台板Ｐ上への取付けに当たっては、図７ならびに８に示すように、第一および第二の支柱１，２が台板面に対し垂直状態すなわち第一の制止状態で、９０°回動させて水平状態すなわち第二の制止状態となるように各切り欠きの向きを合わせて固定することである。
【００３４】
装飾体ＤＭをこの発明の取付け手段ＡＭである止め金具を用いての衣服への取付ける場合、図１,２ならびに図７に示すように、先ず、第一の支柱１が、第一の軸受け部４でその第一の切り欠き部４１内に、第二の支柱２が第二の軸受け部５でその前記第一の制止位置ＳＰ１を定める切り欠き側面５２に当接した状態にする。
この状態でない場合には、第一の支柱１が第一の軸受け部４の第二の切り欠き部４２内に、第二の支柱が第二の軸受け部５の前記第二の制止位置ＳＰ２を定める切り欠き側面５３に当接した状態にある場合には、ピン枢着部２１あるいはピン先保持部１１を持って支持軸３を第二の軸受け部５側にスプリング７の弾力に抗して押し動かして第二の切り欠き部４２内から第一の支柱１を外方に引き出して第二の支柱２を第二の制止位置ＳＰ２から第一の制止位置ＳＰ１まで回動して第一の支柱１を第一の切り欠き部４１内に前記スプリング７に加えた外力を除いて係合させ各支柱1，２を前記台板Ｐに対し垂直状態にする。
【００３５】
次に、図１３に示すように、取付けピン６の尖先部６１がピン先保持部１１で保持状態にある場合には、向い側で横倒し状態にあるピン係止体８のレバー８４を手前に１８０°回すことでピン保持構成部１１とピン係止体８の各縦溝１５ａ，１５ｂと縦溝８３が直線状に並び、それぞれの縦溝１５ａ，１５ｂ，８３の開口から取付けピン６の尖先部６１を溝外の引き出すことで保持状態が解除される。
取付けピン６は、その枢着部６２で軸周りに回動するので、最も装飾体ＤＭを衣服に付け易い位置で取付けピン６の尖先部６１を衣服に刺し返して前記取付けピン６の尖先部６１を図１２,１４に示すように、前記ピン保持部１１の縦溝群が開口状態にあるか、ない場合にはレバー８４をもってピン係止体８を回して開口状態にして縦溝１５ａ，１５ｂ，８３内に押し入れてからピン係止体８のレバー８４を先ほどとは異なる向きに１８０°回すことでピン係止体８の縦溝８３が１８０°回転して前記保持溝形成部１６ａ，１６ｂの縦溝１５ａ，１５ｂの間を塞ぎ両縦溝１５ａ，１５ｂ，８３の溝底部分がオーバーラップして形成する孔内に取付けピン６の尖先部６１は保持され安全な状態になる。
【００３６】
これで、装飾体ＤＭの衣服への取り付けは完了したものの、衣服への取付け易さをうるために台板Ｐと取付けピン６との間隔は最大限離した状態にあるので装飾体ＤＭの重さと取り付け位置から装飾体ＤＭまでの間隔が大きいために装飾体ＤＭが前のめりになってしまい体裁が悪い。
ここで、図３,４ならびに図８に示すように、ピン枢着部２１あるいはピン先保持部１１を持って支持軸３を第二の軸受け部５側にスプリング７の弾力に抗して押し動かして第一の切り欠き部４１内から第一の支柱１を引き出して第二の支柱２を第一制止位置ＳＰ1から第二制止位置ＳＰ２まで回動して、第一の支柱１を第二の切り欠き部４２内に前期スプリング７に加えた外力を除いて第一の支柱１を係合させ各支柱１，２を前記台板Ｐに対し水平状態倒すことで装飾体ＤＭと衣服の取付け位置までの間隔を最小にすることができ装飾体ＤＭが前のめりにならず体裁を損なうことが無い。
【００３７】
衣服から装身具ＤＭを取り外す場合には、装飾体ＤＭと衣服との間隔が大きいほうが取り外しやすいので、前述した装飾体ＤＭとこれを取付けた衣服との間隔を狭くする行為とは反対の行為で装飾体ＤＭとこれを取付けた衣服との間隔を大きくしてから取り外せば取外し行為が容易になる。
【００３８】
第二の実施例の場合には、図１に示すように、取付け手段ＦＭを支持する第一の支柱１が前記第一の制止位置ＳＰ１から第二の制止位置ＳＰ２まで回動する間、前記第一の軸受け部４の開口端側に形成した逆フ字状の切欠き部４３の傾斜面４４に当接して前記支持軸３を前記第二の軸受け部５内に配設したスプリング７の弾性に抗して前記第二の軸受け部５側に移動させ前記スプリング７を付勢することで前記傾斜面４４の裾端である第二の制止位置に形成した凹欠部４５内に弾接して前記取り付ピン６と前記装飾体ＤＭとの相対間隔を変えることができる。
また、第二の制止位置ＳＰ２に形成した凹欠部４５内に弾接している第一の支柱１をスプリング７の弾性に抗して前記第二の軸受け部５側に押送してこの凹欠部４５内から引き出し前記傾斜面４４上に移せれば、スプリング７の押圧作用で第一の支柱１は前記傾斜面４４に沿ってこの面上を滑るようにして第一の制止位置ＳＰ１まで自ら動いてその側面５２に当接して前記取付けピン６と前記装飾体DMとの相対間隔を変えることができる。
【産業上の利用可能性】
【００３９】
この発明は、ブローチ等の装飾体の取付金具として有効容易に利用可能である。
【図面の簡単な説明】
【００４０】
【図１】この発明の位置実施例である取付金具が第一の制止状態である場合の装飾体の裏面図。
【図２】図１のＡ−Ａ断線における断面図。
【図３】取付金具が第二の制止状態である場合の装飾体の裏面図。
【図４】図３のＢ−Ｂ断線における断面図。
【図５】取付け手段の側面図。
【図６】双方の軸受け部のみをを裁断した取付け手段の側面図。
【図７】取付け手段の第一の制止状態を示す斜視図。
【図８】取付け手段の第ニの制止状態を示す斜視図。
【図９】取付け手段の第一の制止状態の拡大図。
【図１０】第一の軸受け部における他の実施例を示す斜視図。
【図１１】ピン先保持部の分解断面図。
【図１２】ピン保持部の側面図。
【図１３】ピン保持部のピン保持直前の説明図。
【図１４】ピン保持部のピン保持状態時の説明図。
【図１５】ピン枢着部の分解図。
【符号の説明】
【００４１】
１    第一の支柱  
１１    ピン先保持部
１２    面刳り
１３    二股部
１４    脚体
１５    縦溝
１６    保持溝形成部
１７    軸穴
２    第二の支柱
２１    ピン枢着部
２２    面刳り
２３    二股部
２４    脚体
２５    軸孔
２６    軸
３    支持軸
３１    小径部
３２    大径部
４    第一の軸受け部
４１    第一の切り欠き部
４２    第二の切り欠き部
４３    切り欠き部
４４    傾斜面
４５    凹欠部
５    第二の軸受け部
５１    切り欠き部
５２    切り欠き側面
５３    切り欠き側面
６    取付けピン
６１    尖先部
６２    枢着部
６３    貫通孔
７    スプリング
８    ピン係止体
８１    円盤
８２    貫通孔
８３    縦溝
８４    レバー
８５    凸軸
ＤＭ    装飾体
ＡＭ    取付け手段    
ＳＰ１  第一の制止位置
ＳＰ２  第二の制止位置
Ｐ      台板
【図１】
2006102305.tif 000003
【図２】
2006102305.tif 000004
【図３】
2006102305.tif 000005
【図４】
2006102305.tif 000006
【図５】
2006102305.tif 000007
【図６】
2006102305.tif 000008
【図７】
2006102305.tif 000009
【図８】
2006102305.tif 000010
【図９】
2006102305.tif 000011
【図１０】
2006102305.tif 000012
【図１１】
2006102305.tif 000013
【図１２】
2006102305.tif 000014
【図１３】
2006102305.tif 000015
【図１４】
2006102305.tif 000016
【図１５】
2006102305.tif 000017